(57)【要約】【課題】構成を簡略化することによって，部品点数の削減でき，更に省エネルギーとなると共に，利得調整作業の容易な利得調整回路。【解決手段】利得調整回路において，当該利得調整回路は，少なくとも２つの利得調整手段と，当該利得調整手段を制御する１つの制御手段と，前記利得調整手段に電源から電源供給を行う１つの給電手段とからなり，これらの利得調整手段は，電源から前記給電手段を介して直列に電源供給されるように配設されると共に，前記利得調整回路は，それぞれ相互に重ならない帯域の信号が通過するように配設されており，前記制御手段によってこれらの信号の利得調整を夫々別々に同時に制御できるように構成したことを特徴とした利得調整回路。【選択図】  図１
2006013613.tif 000002
【特許請求の範囲】
【請求項１】
利得調整回路において，
当該利得調整回路は，少なくとも２つの利得調整手段と，当該利得調整手段を制御する１つの制御手段と，前記利得調整手段に電源から電源供給を行う１つの給電手段とからなり，
これらの利得調整手段は，電源から前記給電手段を介して直列に電源供給されるように配設されると共に，前記利得調整手段は，前記制御手段によって同時に制御されるように構成したことを特徴とした利得調整回路。
【請求項２】
前記利得調整回路は，同じ帯域の信号が通過するように配設されており，前記制御手段によって，この信号の利得調整を同時にできるように構成したことを特徴とした利得調整回路。
【請求項３】
前記利得調整回路は，それぞれ相互に重ならない帯域の信号が通過するように配設されており，前記制御手段によってこれらの信号の利得調整を夫々別々に同時に制御できるように構成したことを特徴とした利得調整回路。
【請求項４】
請求項１乃至請求項３の何れかに記載の利得調整回路を具備したことを特徴としたＣＡＴＶ機器。
【発明の詳細な説明】
【技術分野】
【０００１】
本発明は，主に信号の利得調整に利用される利得調整回路に関し，詳しくはその利得調整回路の回路の簡略化と，これによって省エネルギー化を実現するための回路に関する。また，この利得調整回路を用いたＣＡＴＶ機器に関する。
【背景技術】
【０００２】
従来，例えばピンダイオード等を利用した利得調整回路は，この利得調整回路１つに対して，１つの給電手段を介して電源供給することによって，制御手段（例えば可変抵抗器）を用いて利得調整するような構成となっていた。例えばＶＨＦ帯の信号とＵＨＦ帯の信号を夫々増幅する増幅回路からなるテレビ受信用ブースターに前記利得調整回路を具備させれば，夫々ＶＨＦ用の利得調整回路とＵＨＦ用の利得調整回路用の制御手段が２つ必要となると共に，夫々の利得調整回路に電源供給するように給電手段を備える必要があった。
また，例えばＣＡＴＶ信号用の増幅回路を備えた広帯域特性を有するＣＡＴＶブースターに，前記利得調整回路を具備させた場合でも上記従来例と同様に，制御手段と給電手段とを備える必要があった。
（例えば，特許文献１参照）
【０００３】
【特許文献１】特開２０００−３０８０３１号公報
【発明の開示】
【発明が解決しようとする課題】
【０００４】
しかし，従来の利得調整回路によると，利得調整回路を備えた分だけ制御手段と給電手段を具備させる必要があり，部品点数が多くなったり，構成が複雑になったりして，延いては製品のコストが高くなると言った問題があった。更に夫々の利得調整回路に電源供給する必要が生じることで，製品の消費電力が大きくなるといった問題があった。
そこで本願においては，こうした問題点を解決するためになされたものであり，
その目的は，構成を簡略化することによって，部品点数の削減でき，更に省エネルギーとなる利得調整回路を提供することにある。
他の目的は，利得調整作業の容易な利得調整回路を提供することにある。
他の目的は，構成を簡略化することによって，部品点数の削減でき，更に省エネルギーとなる利得調整回路を具備したＣＡＴＶ機器を提供することにある。
他の目的は，利得調整作業の容易な利得調整回路を具備したＣＡＴＶ機器を提供することにある。
【課題を解決するための手段】
【０００５】
請求項１の発明は，利得調整回路において，当該利得調整回路は，少なくとも２つの利得調整手段と，当該利得調整手段を制御する１つの制御手段と，前記利得調整手段に電源から電源供給を行う１つの給電手段とからなり，これらの利得調整手段は，電源から前記給電手段を介して直列に電源供給されるように配設されると共に，前記利得調整手段は，前記制御手段によって同時に制御されるように構成される。
【０００６】
請求項２の発明は，前記利得調整回路は，同じ帯域の信号が通過するように配設されており，前記制御手段によって，この信号の利得調整を同時にできるように構成される。
【０００７】
請求項３の発明は，前記利得調整回路は，それぞれ相互に重ならない帯域の信号が通過するように配設されており，前記制御手段によってこれらの信号の利得調整を夫々別々に同時に制御できるように構成される。
【０００８】
請求項４の発明は，請求項１乃至請求項３の何れかに記載の利得調整回路を具備させたＣＡＴＶ機器を構成する。
【発明の効果】
【０００９】
請求項１の発明によれば，利得調整回路において，当該利得調整回路は，少なくとも２つの利得調整手段と，当該利得調整手段を制御する１つの制御手段と，前記利得調整手段に電源から電源供給を行う１つの給電手段とからなり，これらの利得調整手段は，電源から前記給電手段を介して直列に電源供給されるように配設されると共に，前記利得調整手段は，前記制御手段によって同時に制御されるように構成したので，
例えば２つ備えた利得調整手段は，制御手段である可変抵抗器一つで前記夫々の利得調整手段を同時に制御でき，調整の容易性やコストの低減が可能な利得調整回路を提供できるのである。
また，利得調整回路の消費電力が従来の利得調整回路を２つ動作させる場合と比べて半分ですむので省電力な利得調整回路が提供できるのである。
【００１０】
請求項２の発明によれば，前記利得調整回路は，同じ帯域の信号が通過するように配設されており，前記制御手段によって，この信号の利得調整を同時にできるように構成したので，
同一周波数帯用の利得調整回路であって，コストが安くて，且つ設定の容易であり省エネルギーを達成できる利得調整回路を提供できる。
【００１１】
請求項３の発明によれば，前記利得調整回路は，それぞれ相互に重ならない帯域の信号が通過するように配設されており，前記制御手段によってこれらの信号の利得調整を夫々別々に同時に制御できるように構成したので，
異なる周波数帯の信号を制御するための利得調整回路であって，コストが安くて，且つ設定の容易であり省エネルギーを実現できる利得調整回路を提供できる。
【００１２】
請求項４の発明によれば，請求項１乃至請求項３の何れかに記載の利得調整回路を具備させてＣＡＴＶ機器を構成したので，
例えば，ＵＨＦブースターのように１つの周波数帯を増幅する増幅器や，ＶＨＦ・ＵＨＦ増幅器や，ＣＡＴＶ信号とＢＳ・ＣＳ信号を出力する高周波信号処理部分を有する光受信機のような，異なる周波数帯を増幅するようなＣＡＴＶ機器の出力レベルを調整する機器であってもコストが安くて，且つ設定の容易であり省エネルギーを実現できる利得調整回路を提供できる。
【発明を実施するための最良の形態】
【００１３】
以下に，本発明を具体化した実施形態の例を，図面を基に詳細に説明する。
図１は本発明に係る利得調整回路の基本回路図を示す。図２は本発明に係る利得調整回路を用いた第１の実施例を示す。図３は本発明に係る利得調整回路を用いた第２の実施例を示す。図４は従来の利得調整回路を用いた実施例である。
【実施例１】
【００１４】
図１に基づいて本発明の利得調整回路１を説明する。この図において１０，１１は利得調整手段であり夫々同様な回路構成となっている。２０は制御手段であり，３０は給電手段である。
ｉｎ１から入力された信号はコンデンサーＣ１を介して第１の利得調整手段１０に入力される。本発明においては，この利得調整手段１０は３個のピンダイオードＰＤ１〜ＰＤ３からなり，このうちピンダイオードＰＤ１を信号通過素子としてパイ（π）型に構成したものである。これらのピンダイオードＰＤ１〜ＰＤ３には，前記コンデンサーＣ１とピンダイオードＰＤ１との接続点に前記給電手段３０である抵抗Ｒ１を介して＋Ｂに示すバイアス電源より電源供給するように構成されている。
更に前記コンデンサーＣ１とピンダイオードＰＤ１との接続点からは，前記ピンダイオードＰＤ２とＰＤ３とが直列に接続されており，このＰＤ２とＰＤ３との接続点にはコンデンサーＣ２が接続され，このコンデンサーＣ２はアースに接地されている。このコンデンサーＣ２はダイオードから漏れ出た信号をアースにバイパスするためのものである。
更にピンダイオードＰＤ３の出力側にはコンデンサーＣ３が接続されており，このコンデンサーを介して前記ピンダイオードＰＤ１の出力側と接続されている。
また，ピンダイオードＰＤ３とコンデンサーＣ３との接続点Ｔ１にはチョークコイルＬ１が接続されており，このチョークコイルＬ１の他端は後述の第２の利得調整手段１１に接続される。前記ピンダイオードＰＤ１の出力と前記コンデンサーＣ３との接続点Ｔ２からはコンデンサーＣ４を介して信号がｏｕｔ１から出力される。
更に，前記ピンダイオードＰＤ１の出力と前記コンデンサーＣ３との接続点Ｔ２にはチョークコイルＬ２が接続されており，このチョークコイルＬ２の他端は後述の第２の利得調整手段１１と接続される。
【００１５】
次に第２の利得調整手段１１について説明する。この回路の基本は前記第１の利得調整手段１０と同様な構成であり，ピンダイオードＰＤ４〜ＰＤ６をパイ（π）型に構成したものである。
ｉｎ２に入力された信号はコンデンサーＣ５を介して第２の利得調整手段１１に入力される。このコンデンサーＣ５とピンダイオードＰＤ４との接続点Ｔ４からは，コンデンサーＣ６を介して前記ピンダイオードＰＤ５とＰＤ６とが直列に接続されており，コンデンサーＣ６とピンダイオードＰＤ５世の接続点Ｔ３である。ピンダイオードＰＤ５とＰＤ６との接続点にはコンデンサーＣ７が接続されており，片方の端子はアースに接地されている。このコンデンサーＣ７はダイオードから漏れ出た信号をアースにバイパスするためのものである。ピンダイオードＰＤ６の出力側はコンデンサーＣ８を介して前記ピンダイオードＰＤ４の出力側と接続されている。このピンダイオードＰＤ４の出力と前記コンデンサーＣ８との接続点からはコンデンサーＣ９を介して信号がｏｕｔ２から出力される。
また，ピンダイオードＰＤ６とコンデンサーＣ８との接続点には抵抗Ｒ２が接続されており，この抵抗Ｒ２の他端はアースに接地されている。
更に，ピンダイオードＰＤ４とコンデンサーＣ８との接続点には制御手段２０である可変抵抗器ＶＲ１が接続されており，この可変抵抗器ＶＲ２はバイアス電源に接続されている。
【００１６】
以上のように，本発明の実施例を構成する利得調整手段１０，１１の基本は周知の電流制御型減衰器を構成するものであるが，本発明においては各利得調整手段への電源供給の方法に特長を有しており，以下にその詳細を説明する。
上記説明において第１の利得調整手段１０の接続点Ｔ１に接続されたチョークコイルＬ１の他端は，第２の利得調整手段１１の接続点Ｔ３と接続されている。また，第１の利得調整手段１０の接続点Ｔ２に接続されたチョークコイルＬ２の他端は，第２の利得調整手段１１の接続点Ｔ４に接続されている。
【００１７】
このように構成された利得調整回路１におけるバイアス電源の供給の仕方について説明する。本発明においては，バイアス電源から抵抗Ｒ１を介して給電された電圧は，前記ピンダイオードＰＤ２及びＰＤ３と，ピンダイオードＰＤ５及びＰＤ６と，抵抗Ｒ２とで分圧されるように構成されている。
更に，ピンダイオードＰＤ１と，ピンダイオードＰＤ４と，可変抵抗器ＶＲ２とで分圧比を可変できるように構成されている。
したがって，本発明の実施例に係る利得調整回路１によれば，例えば２つ備えた利得調整手段１０，１１は，給電手段３０である抵抗Ｒ１を介して給電され，各利得調整手段がこの電源電圧に対してシリーズに電源供給できるように接続されるように構成したので，制御手段２０である可変抵抗器ＶＲ１によって前記利得調整手段１０，１１を同時に制御できるのである。
また，これによって利得調整回路１の消費電力が従来の利得調整回路を２つ動作させる場合と比べて半分ですむのである。
【００１８】
次に，本発明に係る利得調整回路１を具備したＣＡＴＶ機器に関して説明する。本実施例においては，ＣＡＴＶ機器の代表例として図２に示す光受信機をもとに説明する。
ＣＡＴＶ網に施設された光ファイバーを介して送られた光信号は光信号ＩＮＰＵＴから入力される。入力された光信号は４０に示す光受信機において光信号から電気信号に変換される。この電気信号の一例として７０〜２６０２ＭＨｚの広帯域信号が出力される。この電気信号は４１に示されるフィルタ回路において，低域と広域に分離される。この実施例では低域の周波数帯を通過するための低域通過フィルタ４１ａ（例えば，ローパスフィルタ。以下ＬＰＦと記載する。）は，７７０ＭＨｚ以下を通過帯域とするように構成されている。また，高域の周波数帯を通過するための高域通過フィルタ４１ｂ（例えば，ハイパスフィルタ。以下ＨＰＦと記載する。）は，１０００〜２６０２ＭＨｚを通過帯域とするように構成されている。
【００１９】
ＬＰＦ４１ａを通過した７０〜７７０ＭＨｚの信号は，次に増幅器４２において所定レベルまで増幅された後に，利得調整回路１の入力の１つであるｉｎ１から利得調整手段１０を通過してｏｕｔ１から出力される。更にｏｕｔ１から出力された信号は増幅器４３において所定レベルまで増幅された後に，低域通過フィルタ４４を経た後，ＯＵＴＰＵＴ１から出力される。
また，ＨＰＦ４１ｂを通過した１０００〜２６０２ＭＨｚの信号は，次に増幅器４５において所定レベルまで増幅された後に，利得調整回路１の入力の１つであるｉｎ２から利得調整手段１１を通過してｏｕｔ２から出力される。更にｏｕｔ２から出力された信号は増幅器４６において所定レベルまで増幅された後に，高域通過フィルタ４７を経た後，ＯＵＴＰＵＴ２から出力される。
【００２０】
このように構成された光受信機からの出力信号は，ＣＡＴＶ信号である７０〜７７０ＭＨｚの信号と，ＢＳ・ＣＳ帯の信号である１０００〜２６０２ＭＨｚの信号とに分けられて出力されるのであるが，この実施例によればＣＡＴＶ信号とＢＳ・ＣＳ信号の出力レベルは制御手段３０である１つの可変抵抗器を用いて同時に調整することができるのである。
尚，図２において５０は電源回路であり，ＡＣ電源から例えば直流電圧を得るためのものである。
また，本発明の実施例によればＯＵＴＰＵＴを２つ備えた例を示したが，出力部分において夫々混合して１つの出力から出力するように構成しても良い。
【実施例２】
【００２１】
次に本発明の第２の実施形態として図３を参照して説明する。尚，以下の説明では，上記第１の実施形態と同様の構成要素については同一符号を付与し，詳細な説明は省略する。
【００２２】
この実施例においては，前記利得調整回路１の利得調整手段１０と１１を同一帯域の信号のレベル調整に使用緒するものであり，この実施例の代表機器として，例えばＵＨＦブースターに本発明の利得調整回路１を備えた場合について説明する。
例えばＵＨＦアンテナから引き込まれた４７０〜７７０ＭＨｚの信号は同軸ケーブルを介してＩＮＰＵＴから入力される。入力された信号は増幅器５１において所定レベルまで増幅された後に，利得調整回路１における入力のうちのｉｎ１から利得調整回路１に入力される。入力された信号は第１の利得調整手段１０を通過した後にｏｕｔ１から出力される。出力された信号は増幅器５２において所定レベルまで増幅された後に，利得調整回路１における入力のうちのｉｎ２から入力されて利得調整手段１１を介してｏｕｔ２から出力される。利得調整回路１から出力された信号は増幅器５３において所定レベルまで増幅された後にＯＵＴＰＵＴから出力される。
【００２３】
このように構成されたＵＨＦブースターからは所定レベルに増幅された４７０〜７７０ＭＨｚの信号が出力されるのであるが，この実施例によればこのＵＨＦ信号の出力レベルは制御手段２０である１つの可変抵抗器を用いて同時に調整することができるのである。
【００２４】
このように本発明の実施例に係る利得調整回路１を備えさせたＣＡＴＶ機器によれば，例えば２つ備えた利得調整手段１０，１１は，給電手段３０である抵抗Ｒ１を介して給電され，各利得調整手段がこの電源電圧に対してシリーズに電源供給できるように接続されるように構成したので，制御手段２０である可変抵抗器ＶＲ１によって前記利得調整手段１０，１１を同時に制御でき，利得の設定等の取扱が容易になると共に，部品点数が少なくて済むため製品コストの安価なＣＡＴＶ機器を提供することができるのである。
また，本発明ＣＡＴＶ機器は，具備した利得調整回路１の消費電力が従来の利得調整回路を２つ動作させる場合と比べて半分ですむので，製品全体の消費電力を低減化したＣＡＴＶ機器を提供できるのである。
尚，本発明は上記実施の形態に限定されるものではなく，例えば制御手段を自動利得調整回路（ＡＧＣ回路）を１つ備えて，前記利得調整手段１０，１１を制御するようにしても良いし，本発明の趣旨を逸脱しない範囲で各部の構成を適宜に変更して実施することも可能である。
【図面の簡単な説明】
【００２５】
【図１】本発明に係る利得調整回路における実施の形態の１例を示す概略回路図である。
【図２】本発明に係る利得調整回路を具備したＣＡＴＶ機器の第１実施形態を示す概略回路図である。
【図３】本発明に係る利得調整回路を具備したＣＡＴＶ機器の第２実施例を示す概略回路図である。
【図４】従来例を示す。
【符号の説明】
【００２６】
１…利得調整回路１０…利得調整手段，１１…利得調整手段，２０…制御手段，３０…給電手段，４０…光受信機，４１…フィルタ回路，４１ａ・４４…低域通過フィルタ，４１ｂ・４７…高域通過フィルタ，４２・４３・４５・４６…増幅回路，４８…電源回路，５１・５２・５３…増幅器，
Ｃ１〜Ｃ９…コンデンサー，Ｒ１・Ｒ２…抵抗，ＶＲ１…可変抵抗器，Ｌ１・Ｌ２…チョークコイル，ＰＤ１〜ＰＤ６…ピンダイオード 
【図１】
2006013613.tif 000003
【図２】
2006013613.tif 000004
【図３】
2006013613.tif 000005
【図４】
2006013613.tif 000006